(57)【特許請求の範囲】
【請求項１】
グルーミング器具であって、
（ａ）ハンドルと、
（ｂ）少なくとも伸長位置と非伸長位置とに調節可能な複数の湾曲ブレードを有する、該ハンドルに取り付けられたヘッドであって、前記ヘッドが、内部容積を有するハウジングと、前記ハウジングの前記内部容積の中で前記複数の湾曲ブレードを固定位置で保持し、かつ、前記ハウジングの内部容積内に動作可能に位置決めされ、少なくとも第１位置と第２位置とに調節可能であるように構成され配置されている、ブレードキャリアとを含む、ヘッドとを含み、
（ｃ）前記複数の湾曲ブレードが、該ブレードキャリアに隣接する近位部分と、該ブレードキャリアから所定の間隔を置いた遠位部分とを有しており、
（ｉ）該ブレードキャリアが該第１位置にあるときには、該複数の湾曲ブレードは該伸長位置にあり、
（ｉｉ）該ブレードキャリアが該第２位置にあるときには、該複数の湾曲ブレードは該非伸長位置にあり、該複数の湾曲ブレードの遠位部分は、該伸長位置にあるときよりも該ハウジングの近くに間隔を置いて位置している、グルーミング器具。
【請求項２】
前記湾曲ブレードが少なくとも前記伸長位置及び非伸長位置で解放可能にロックされるようになっている、請求項１に記載のグルーミング器具。
【請求項３】
前記ヘッドが、前記ブレードキャリアを前記第１位置と前記第２位置との間で動かすように、前記ブレードキャリアと動作的に連携するブレード調節器を含む、請求項１に記載のグルーミング器具。
【請求項４】
前記ヘッドは、少なくとも前記第１位置及び前記第２位置で前記ブレードキャリアを解放可能にロックするように構成され配置されたロッキングタブを含む、請求項３に記載のグルーミング器具。
【請求項５】
（ａ）前記ブレードキャリアが第１溝及び第２溝を含み、
（ｂ）前記ロッキングタブ装置が第１タブと第２タブとを含み、
（ｉ）該第１タブが該第１溝内にスライド可能に配置された第１ロッキングフィンガを有し、
（ｉｉ）該第２タブが該第２溝内にスライド可能に配置された第２ロッキングフィンガを有している、請求項４に記載のグルーミング器具。
【請求項６】
（ａ）前記ブレードキャリアが前記第１溝に沿った第１溝歯列と前記第２溝に沿った第２溝歯列とを有しており、
（ｂ）前記第１タブの前記第１ロッキングフィンガが第１タブ歯列を有し、前記第２タブの前記第２ロッキングフィンガが第２タブ歯列を有しており、
前記ブレードキャリアを前記第１位置及び第２位置で解放可能にロックするために、前記第１タブ歯列は前記第１溝歯列に解放可能に係合し、前記第２タブ歯列は前記第２溝歯列に解放可能に係合する、請求項５に記載のグルーミング器具。
【請求項７】
前記ロッキングタブ装置がさらに、前記第１タブと第２タブとの間で圧縮されたばねを含む、請求項５又は６に記載のグルーミング器具。
【請求項８】
前記ブレード調節器が、前記ハウジングの外側に突出する指台と、前記ブレードキャリアに向かって配向された係合バーとを有するプレートを含む、請求項３〜７のいずれか１項に記載のグルーミング器具。
【請求項９】
前記ブレード調節器がさらに前記ハウジングと前記プレートとの間に配向されたばねを含む、請求項８に記載のグルーミング器具。
【請求項１０】
（ａ）前記ハンドルが、人間の手によって把持するように寸法設定された、貫通する長手方向軸線を有する把持部材を有し、
（ｂ）前記ヘッドが、前記把持部材の前記長手方向軸線と非同軸的な長手方向軸線を有する、請求項１〜９のいずれか１項に記載のグルーミング器具。
【請求項１１】
前記ハンドルが前記把持部材と前記ヘッドとの間にｖ字形ブリッジを含む、請求項１０に記載のグルーミング器具。
【請求項１２】
前記湾曲ブレードが６０〜９０°で湾曲している、請求項１〜１１のいずれか１項に記載のグルーミング器具。
【請求項１３】
前記伸長位置と前記非伸長位置との間の距離が３〜１０ｍｍである、請求項１〜１２のいずれか１項に記載のグルーミング器具。
【請求項１４】
前記ヘッド内に１０〜２０枚の湾曲ブレードがある、請求項１〜１３のいずれか１項に記載のグルーミング器具。
【請求項１５】
動物をグルーミングする方法であって、該方法が、
（ａ）ハンドルと、該ハンドルに取り付けられた、複数の湾曲ブレードを有するヘッドとを有するグルーミング器具を用意するステップと、
（ｂ）前記複数の湾曲ブレードを少なくとも伸長位置又は非伸長位置に調節することにより、使用するための複数の湾曲ブレードの長さを選択するステップであって、前記長さを選択するステップが、ブレード調節器を使用することで前記伸長位置又は非伸長位置の一方に前記複数の湾曲ブレードを動かすステップと、前記ブレード調節器によって押圧されたときにブレードキャリアが動くのを可能にするために、第１タブと第２タブとを互いに向かって押し合わせ、該ブレードキャリアを所定の位置にロックするために、該第１タブと第２タブとを解放するステップとを含む、ステップを含む、動物をグルーミングする方法。
【発明の詳細な説明】
【技術分野】
【０００１】
本出願は、国際出願として２０１５年９月１５日付けで出願されるものであり、２０１４年９月１６日付けで出願された米国仮特許出願第６２／０５０，８７５号の優先権を主張する。前記出願の開示内容は全体的に参照することにより本明細書中に援用される。
【０００２】
本開示はグルーミング器具及び使用方法に関連する。より具体的には、本開示はグルーミング器具、例えば犬又は猫のような動物のための、デマッティング（dematting)（毛玉取り）器具に関する。
【背景技術】
【０００３】
ペットをグルーミングするために種々のグルーミング器具を利用することができる。これらの器具は、抜けた毛又はファー、絡んだ毛又はファー、及びもつれた毛又はファーを取り除くために使用することができる。
【０００４】
ある動物のコート（被毛）（coat）の場合、毛の長さが様々に変化し、ある部分では短く、他の部分では長い。あるペットが長いコートを有するのに対して、他のペットがより短いコートを有する、様々なペットを所有する飼い主がいる。これらの事例において、単一のグルーミング器具を有し、この単一の器具を様々な長さのコートに使用できると好都合である。
【発明の概要】
【０００５】
従来技術の問題点に対処してこれらを克服するグルーミング器具が提供される。具体的には、ハンドルと、ハンドルに取り付けられたヘッドとを有するグルーミング器具が提供される。ヘッドは、少なくとも伸長位置と非伸長位置とに調節可能である複数の湾曲ブレードを有している。
【発明の効果】
【０００６】
少なくとも伸長位置と非伸長位置との間で調節可能なブレードを有することにより、様々な長さの毛又はファーにグルーミング器具を使用することができる。より短い毛に対しては、湾曲ブレードは非伸長位置で使用することができるのに対して、より長い毛に対しては、ブレードは伸長位置で使用することができる。
【０００７】
本明細書中に記載されたグルーミング器具は、もつれた毛又はファーを取り除くためのデマッティング器具として使用するのに特に適している。しかしながら、グルーミング器具を他の用途において使用することも考えられる。
【０００８】
模範的実施態様では、湾曲ブレードが少なくとも伸長位置及び非伸長位置で解放可能にロックされるようになっている。
【０００９】
模範的実施態様では、ヘッドがブレードキャリアを含み、該ブレードキャリアが該ブレードキャリア内の固定位置で前記複数のブレードを保持する、
【００１０】
模範的実施態様では、ヘッドが、内部容積を有するハウジングを含み、ブレードキャリアが、ハウジングの内部容積内に動作可能に位置決めされ、少なくとも第１位置と第２位置とに調節可能であるように構成され配置されている。ブレードは、ブレードキャリアに隣接する近位部分と、ブレードキャリアから所定の間隔を置いた遠位部分とを有してよい。ブレードキャリアが第１位置にあるときには、ブレードは伸長位置にある。ブレードキャリアが第２位置にあるときには、ブレードは非伸長位置にあり、ブレードの遠位部分は、伸長位置にあるときよりもハウジングの近くに間隔を置いて位置している。
【００１１】
模範的実施態様では、ヘッドが、ブレードキャリアを第１位置と第２位置との間で動かすように、ブレードキャリアと動作的に連携するブレード調節器を含む。
【００１２】
模範的実施態様では、ヘッドは、少なくとも第１位置及び第２位置でブレードキャリアを解放可能にロックするように構成され配置されたロッキングタブを含む。
【００１３】
１つ又は２つ以上の模範的実施態様では、ブレードキャリアが第１及び第２の溝を含む。ロッキングタブ装置が第１タブと第２タブとを含む。第１タブが第１溝内にスライド可能に配置された第１ロッキングフィンガを有し、第２タブが第２溝内にスライド可能に配置された第２ロッキングフィンガを有している。
【００１４】
模範的実施態様では、ブレードキャリアが第１溝に沿った第１溝歯列と第２溝に沿った第２溝歯列とを有している。第１タブの第１ロッキングフィンガが第１タブ歯列を有し、第２タブの第２ロッキングフィンガが第２タブ歯列を有している。ブレードキャリアを第１位置及び第２位置で解放可能にロックするために、第１タブ歯列は第１溝歯列に解放可能に係合し、第２タブ歯列は第２溝歯列に解放可能に係合する。
【００１５】
模範的実施態様では、ロッキングタブ装置がさらに、第１タブと第２タブとの間で圧縮されたばねを含む。
【００１６】
いくつかの模範的実施態様では、ブレード調節器が、ハウジングの外側に突出する指台と、ブレードキャリアに向かって配向された係合バーとを有するプレートを含む。
【００１７】
いくつかの模範的実施態様では、ブレード調節器がさらにハウジングとプレートとの間に配向されたばねを含む。
【００１８】
１つ又は２つ以上の模範的実施態様では、ハンドルが、人間の手によって把持するように寸法設定された把持部材を有し、把持部材を貫通する長手方向軸線を有する。ヘッドが、把持部材長手方向軸線と非同軸的な長手方向軸線を有する。
【００１９】
いくつかの模範的実施態様では、ハンドルが把持部材とヘッドとの間にＶ字形ブリッジを含む。
【００２０】
模範的実施態様では、湾曲ブレードが６０〜９０°で湾曲している。
【００２１】
模範的実施態様では、ブレードの伸長位置と非伸長位置との間の距離が３〜１０ｍｍである。
【００２２】
模範的実施態様では、ヘッド内に１０〜２０枚の湾曲ブレードがある。
【００２３】
本開示の原理によれば、動物をグルーミングする方法が提供される。方法は、ハンドルと、ハンドルに取り付けられたヘッドとを有するグルーミング器具を用意することを含む。ヘッドは複数の湾曲ブレードを有する。方法は、ブレードを少なくとも伸長位置又は非伸長位置に調節することにより、使用するための湾曲ブレードの長さを選択することを含む。
【００２４】
模範的方法では、長さを選択するステップが、ブレード調節器を使用して前記伸長位置又は非伸長位置の一方にブレードを動かすことを含む。
【００２５】
模範的方法では、長さを選択するステップが、ブレード調節器によって押圧されたときにブレードキャリアが動くのを可能にするために、第１タブと第２タブとを互いに向かって押し合わせ、ブレードキャリアを所定の位置にロックするために、第１タブと第２タブとを解放することを含む。
【００２６】
望ましい製品特徴又は方法の種々様々な例が、一部は下記説明において示され、一部は説明から明らかになり、或いは、本開示の種々の態様を実施することによって学習することができる。本開示の態様は個々の特徴、並びに特徴の組み合わせに関連し得る。言うまでもなく、前記概略的な説明、及び下記詳細な説明の両方は、解説のためのものにすぎず、本発明の請求の範囲を制限するものではない。
【図面の簡単な説明】
【００２７】
【図１】図１は、本開示の原理に基づいて構成されたグルーミング器具の１実施態様を示す斜視図である。
【図２】図２は、図１のグルーミング器具を示す別の斜視図である。
【図３】図３は、図１及び２のグルーミング器具を示す分解斜視図である。
【図４】図４は、図１の４−４線に沿って断面し、ブレードを伸長位置で示す、図１のグルーミング器具の断面図である。
【図５】図５は、図１の５−５線に沿って断面して示す、図１のグルーミング器具の断面図である。
【図６】図６は、図１〜５のグルーミング器具の部分集成体を示す分解斜視図である。
【図７】図７は、ブレードを非伸長位置で示す、図１〜５のグルーミング器具の別の斜視図である。
【発明を実施するための形態】
【００２８】
従来技術の問題点に対処するためにグルーミング器具が提供される。具体的には、本明細書に記載されるグルーミング器具は、グルーミング、例えばデマッティング（毛玉取り）のための湾曲ブレードを含む。これらの湾曲ブレードは伸長位置と非伸長位置との間で調節可能である。このことは、使用者が動物のコートの毛又はファーの長さに基づいて、動物に使用するためのブレードの長さを選択するのを可能にする。この長さは、コートの長さが毛の位置に応じて変化する同一の動物に対して調節することもできる。ブレードの長さは、好都合な形式で、且つ工具を使用することなしに調節することができる。ブレードの長さは簡単な手による操作によって素早く容易に調節することができる。グルーミング器具はペットのコート上の手玉を取り除くために特に有用である。
【００２９】
図１〜４及び７は、グルーミング器具１０の１実施態様を示している。グルーミング器具１０はハンドル１２と、ハンドル１２に取り付けられたヘッド１４とを有している。ヘッド１４は図示されているように、ハンドル１２に永久的に取り付けることができる。或いは、いくつかの実施態様では、ヘッド１４はハンドル１２に取り外し可能に取り付けることもできる。
【００３０】
ハンドル１２は把持部材１６を有している。把持部材１６は、典型的な人間の手によって把持するように寸法設定されている。多くのバリエーションが可能である。図示の模範的実施態様では、把持部材１６は把持部材１６に沿って摩擦増強領域１８を含むことにより、人の手と把持部材１６との間のグリップを改善するのを助ける。摩擦増強領域１８はグリップを改善するために、プラスチック、ウレタン、ゴム、又はゴム様材料から形成することができる。
【００３１】
ハンドル１２はさらに、把持部材１６とヘッド１４との間にブリッジ部材２０を含んでいてよい。図示の模範的実施態様では、ブリッジ部材２０はＶ字形部材２１であり、ヘッド１４と把持部材１６との間で所定の角度を成している。
【００３２】
図４に注意を向ける。図示の模範的実施態様では、ハンドル１２はヘッド１４に対して人間工学的に配置されている。例えば図４において、把持部材１６はこれを貫通する長手方向軸線２４を定義しているのが判る。ヘッド１４は同様に符号２５において長手方向軸線を定義している。ヘッド１４の長手方向軸線２５は把持部材１６の長手方向軸線２４と非同軸的である。ブリッジ部材２０は典型的には、把持部材１６の長手方向軸線２４及びヘッド１４の長手方向軸線２５と交差することになる。
【００３３】
ハンドル１２はさらに、いくつかの実施態様では吊し穴２２を含むことができる。図示の実施態様では、ハンドル１２は、器具１０の、ヘッド１４の位置とは反対側の端部に隣接して、把持部材１６を貫通する吊し穴２２を含む。
【００３４】
ヘッド１４は複数のグルーミングブレード２８を有している。グルーミングブレード２８は好ましくは寸法において湾曲している。ブレード２８は少なくとも伸長位置（図１、２及び４）と非伸長位置（図７）とに調節することができる。
【００３５】
多くのバリエーションが可能である。好ましい実施形では、伸長位置（図４）と非伸長位置（図７）との間の距離は３〜１０ｍｍである。
【００３６】
好ましい実施形では、ブレード２８は少なくとも伸長位置及び非伸長位置で解放可能にロックされるようになっている。いくつかの実施態様では、ブレード２８を伸長位置と非伸長位置との間の位置でロックすることができる。
【００３７】
図３の分解図に注意を向ける。多くのバリエーションが可能である。図３に示された具体的な実施態様では、ヘッド１４はブレードキャリア３０を含んでいる。ブレードキャリア３０は、ブレードキャリア３０内の固定位置に複数のブレード２８を保持するために使用することができる。いくつかの実施態様では、ブレード２８はブレードキャリア３０内に永久的に装着されるか、成形されるか、又は埋め込まれる。
【００３８】
多くの例において、ヘッド１４内には８〜２４枚の湾曲ブレード２８が設けられる。例えば、図示の実施態様では、１６枚のブレード２８がブレードキャリア３０内部に永久的且つ取り外し不能に固定されている。より小型の変更形では、８枚のブレード２８が設けられていてよく、これに対してより大型の変更形では、２４枚のブレード２８が設けられていてよい。
【００３９】
図４において、ブレード２８は、ブレードキャリア３０に隣接する近位部分３２を定義する。図示の例では、近位部分３２はブレードキャリア３０内部に固定されている。ブレード２８はまた、ブレードキャリア３０から所定の間隔を置いて設けられた遠位部分３４を有している。遠位部分３４は自由先端３６を形成している（図４）。ブレード２８はグルーミングエッジ又はカッティングエッジ３８を有している。グルーミングエッジ又はカッティングエッジ３８は、これが先端３６から近位部分３２へ延びるのに伴って、先端３６間で湾曲している。カッティングエッジ３８は、例えば６０〜９０°を含む多くの異なる角度３９（図４）で湾曲させることができる。
【００４０】
ここで図４を参照すると、ヘッド１４は、内部容積４２を有するハウジング４０を含む。ハウジング４２は例えば容器４４とベース４６とを含むことができる。容器４４は容積４２を形成するように、ベース４６に動作可能に固定されることになる。
【００４１】
図示の例では、容器４４は上壁４８と、上壁４８から延びる前壁４９と、上壁４８から延びる第１及び第２の側壁５０，５１とを含む。容器４４は、上壁４８とは反対側の開いた底部５２を有することにより、ブレードキャリア３０を収容する。
【００４２】
ベース４６は、ハンドル係合側５４を有している。ハンドル係合側５４はハンドル１２に固定されている。図示の例では、ハンドル係合側５４はハンドル１２のブリッジ部材２０に固定されている。ベース４６は、ハンドル係合側５４の反対側に、ヘッド係合側５６（図３）を有している。ヘッド係合側５６は、さらに下述するように、ブレード調節部分を保持するための構造を含むことができる。
【００４３】
ブレードキャリア３０は、ハウジング４０の内部容積４２内に動作可能に位置決めされる。例えばブレード２８のカッティングエッジ３８が容器４４の開いた底部５２から動作可能に突出するか又は延びるように、ブレードキャリア３０を容器４４内部に位置決めすることができる。
【００４４】
ブレードキャリア３０は、ハウジング４０の内部容積４２内に動作可能に位置決めされ、少なくとも第１位置と第２位置とに調節可能であるように構成され配置されている。ブレードキャリア３０が第１位置（図１，２及び４）にあるときには、ブレード２８は伸長位置にある。ブレードキャリア３０が第２位置（図７）にあるときには、ブレード２８は非伸長位置にあり、ブレード２８の遠位部分３４は、伸長位置にあるときよりもハウジング４０の近くに間隔を置いて位置している。
【００４５】
多くの実施態様が可能である。図示の例では、ブレードキャリア３０は、上壁５８と、上壁５８から延びる前壁６０と、上壁５８から延びる互いに対向する第１及び第２の側壁６２（図３），６３（図６）とを有している。前壁６０の反対側には、後壁６４（図６）が設けられている。後壁６４は、さらに下述するように係合をロックするための構造を含んでいる。
【００４６】
ブレードキャリア３０は、この図示の実施態様ではさらに、上壁５８に沿って、後壁６４に隣接して調節バー６６を含むことができる。調節バー６６は、受容溝６７（図３）を形成するために上壁５８から所定の間隔を置いたものとして示されている。受容溝６７は、ブレードキャリア３０を伸長位置へ押し込むために他の構造と係合することができる。模範的な詳細をさらに下述する。
【００４７】
多くの実施態様が可能ではあるものの、図３からは、この実施態様では、カッティングエッジ３８が上壁５８とは反対側の底部区分６８から突出するか又は延びるように、ブレード２８がブレードキャリア３０内に取り外し不能に埋め込まれている様子がわかる。他の実施態様では、ブレード２８がブレードキャリア３０に取り外し可能に装着されていてよい。
【００４８】
ヘッド１４はブレード調節器７０を含む。ブレード調節器７０はブレードキャリア３０と動作的に連携することにより、ブレードキャリア３０を第１位置（図１）と第２位置（図７）との間で動かすことができる。
【００４９】
多くの実施態様が可能である。図示の例では、ブレード調節器７０はプレート７２を含む。プレート７２は、ブレードキャリア３０に対して押圧力を加えるために使用することができる。
【００５０】
図３に示された例では、プレート７２は、ハウジング４０の外側に突出する指台７４を有している。こうして、指台７４を人の指、例えば人差し指によって使用して、押圧力を指台７４に加えることができる。指台７４はプレート７２の上側部分に沿った湾曲凹部７５として示されている。
【００５１】
なおも図３を参照すると、ブレード調節器７０は係合バー７６を含むことができる。指台７４における押圧力がプレート７２を通って係合バー７６へ、ブレードキャリア３０へ移動するように、係合バー７６をブレードキャリア３０に係合させるか、又はブレードキャリア３０に向かって配向することができる。図４は、ブレード調節器７０の係合バー７６がブレードキャリア３０に当て付けられている状態を示している。図示された具体的な例において、係合バー７６は溝６７（図３）内に位置するように、調節バー６６とブレードキャリア３０の上壁５８の残りの部分との間に存在する。
【００５２】
ブレード調節器７０はさらにばね７８を含むことができる。ばね７８はブレードキャリア３０を、ブレード２８が非伸長位置（図７）に位置する第２位置へ戻すのに有用である。さらに説明するように、好ましい実施形において、ブレードキャリア３０がハウジング４０からロック解除されると、ばね７８はブレードキャリア３０を第１位置（ブレードの伸長状態）から第２位置（ブレード２８の非伸長状態）へ推進することになる。
【００５３】
ばね７８はハウジング４０とプレート７２との間に配向することができる。例えば、図３に示されているように、ベース４６は、ばね７８を動作可能位置に保持するようにばね台８０を含むことができる。プレート７２の一部である突起８２（図４）がばね７８をプレート７２に装着する一方、ばね７８はまた、ベース４６のばね台８０内部でも支持される。
【００５４】
ヘッド１４はさらに、ロッキングタブ装置８６（図６）を含む。ロッキングタブ装置８６は、ブレードキャリア３０を少なくとも第１位置と第２位置とに解放可能にロックするように構成され配置されている。図示の実施態様におけるロッキングタブ装置８６は、ブレードキャリア３０の後壁６４に沿った相互作用を介してブレードキャリア３０に係合することになる。
【００５５】
例えば、図６をここで参照すると、ブレードキャリア３０はその後壁６４に沿って、上壁５８と底部区分６８との間に延びる第１溝８８と、上壁５８と底部区分６８との間に延びる第２溝９０とを有している。第１及び第２の溝８８，９０は、ロッキングタブ装置８６をこれらの溝内でスライド可能に収容することになる。
【００５６】
具体的には、図示の例において、ロッキングタブ装置８６は第１タブ９２と第２タブ９４とを含む。第１タブ９２は、第１溝８８内にスライド可能に配置される第１ロッキングフィンガ９６を有している。第２タブ９４は、第２溝９０内部にスライド可能に配置される第２ロッキングフィンガ９８を有している。
【００５７】
多くの実施態様が可能である。図示の実施態様では、第１ロッキングフィンガ９６は第１タブ歯列１０２を有しており、第２ロッキングフィンガ９８は第２タブ歯列１０４を有している。ブレードキャリア３０は、第１溝８８に沿った第１溝歯列１０６と、第２溝９０に沿った第２溝歯列１０８とを有している。ブレードキャリア３０を第１位置及び第２位置の少なくとも一方に解放可能にロックするために、第１タブ歯列１０２は第１溝歯列１０６に解放可能に係合し、第２タブ歯列１０４は第２溝歯列１０８に解放可能に係合する。
【００５８】
第１及び第２タブ９２，９４を第１溝８８及び第２溝９０の内部で横方向に移動させることにより、それぞれの係合歯列１０２，１０６及び１０４，１０８を係合させ、係合解離することができる。例えば、第１タブ９２と第２タブ９４とを互いに向かう方向、ハウジング４０に向かう方向に移動させるか又は押し合わせると、それぞれの歯列対１０２，１０６及び１０４，１０８は係合解離される。タブ９２，９４が互いに離反する方向に動くと、それぞれの係合歯列対１０２，１０６及び１０４，１０８は係合状態に戻される。
【００５９】
第１タブ９２と第２タブ９４との間で圧縮されるようにばね１１０を使用することができる。ばね１１０は、ブレードキャリア３０との係合をロックする際に第１タブ９２及び第２タブ９４を保持するように装着されるものとして示されている。図３において、ベース４６は、ばね１１０を所定の位置に動作可能に保持するためのチャンバ１１２を有している。第１タブ９２及び第２タブ９４はそれぞればねポスト１２２（図６），１２４（図３）を含むことができる。ばねポストは、ロッキングフィンガ９６，９８の、タブ歯列１０２，１０４とは反対側で、それぞれロッキングフィンガ９６，９８から突出する。ばねポスト１２２，１２４はばね１１０を、タブ９２，９４の間の動作可能な位置に保持するのを助ける。ベース４６はまた、第１タブ９２のための第１保持領域１１４と、第２タブ９４のための第２保持領域１１６とを有している。
【００６０】
第１タブ９２は、ハウジング４０から延びる第１タブ押圧部材１１８を有している。第１タブ押圧部材１１８は、第１溝８８内部に位置する第１ロッキングフィンガ９６に結合されている。第２タブ９４は、ハウジング４０から延びる又は突出する第２タブ押圧部材１２０を有している。第２タブ押圧部材１２０は、ブレードキャリア３０の第２溝内部に位置する第２ロッキングフィンガ９８に結合されている。
【００６１】
動作中、動物をグルーミングするために、方法はグルーミング器具１０を用意することを含むことができる。次に、湾曲ブレード２８の長さを選択する。ブレード２８の長さは、伸長位置（図１）又は非伸長位置（図７）の少なくとも一方に調節される。
【００６２】
長さを選択するために、ブレード調節器７０を使用してブレード２８を伸長位置又は非伸長位置に動かす。
【００６３】
長さを選択するために、第１タブ及び第２タブ９２，９４を互いに向かって押し合わせる。このことは第１タブ押圧部材１１８と第２タブ押圧部材１２０とを互いに向かって、ハウジング４０へ向かって内方に押圧することにより実現される。このことはばね１１０を押圧し、第１ロッキングフィンガ９６の第１タブ歯列１０２をブレードキャリア３０の第１溝歯列１０６からロック解除することになる。このことは、第２タブ９４の第２ロッキングフィンガ９８の第２タブ歯列１０４をブレードキャリア３０の第２溝歯列１０８からロック解除することになる。
【００６４】
ブレードキャリア３０がロック解除されたら、指台７４に力を加えてばね７８を押すことによりプレート７２を押圧することができる。このことはプレート７２の係合バー７６からブレードキャリア３０に向かって押圧力を伝達することにより、ブレードキャリア３０を容器４４の上壁４８から離反する方向に動かす。ブレード２８は伸長位置に動き、これにより遠位部分３４はブレード２８が非伸長位置にあるときよりもハウジング４０から大きく離れた位置にあるようになる。
【００６５】
ブレード２８を非伸長位置へ戻すためには、第１タブ押圧部材１１８と第２タブ押圧部材１２０とを再び互いに向かう方向に押し合わせる。このことはブレードキャリア３０をロック解除する。ブレードキャリア３０は次いでばね７８によって、ブレード２８が非伸長位置にある第２位置へ戻されることになる。
【００６６】
多くの異なる構成が可能である。好ましい実施形において、ブレード２８は金属から形成されているのに対して、器具１０の残りの部分は成形プラスチックである。ばね１１０及び７８は金属であってもよい。
【００６７】
上記のものは本開示の原理を表す。これらの原理を用いて、多くの実施形態を形成することができる。
【図１】
0006687607.tif 000002
【図２】
0006687607.tif 000003
【図３】
0006687607.tif 000004
【図４】
0006687607.tif 000005
【図５】
0006687607.tif 000006
【図６】
0006687607.tif 000007
【図７】
0006687607.tif 000008